(57)【要約】      （修正有）【課題】人の標準身長よりかなり大きな人や小さな人の背部全体と密着させてリラックス状態で着座および仰臥させることができるリラクゼーション椅子を提供する。【解決手段】昇降可能な座部１と、該座部に対して起伏可能に形成されると共に下部背凭れ４１と上部背凭れ４２とからなり、かつ、下部背凭れに対して上下動および所望の高さ位置でロック可能に取付けられた背凭れ４と、座部１に対して起伏可能に形成された前垂れ５とから構成した。【選択図】図１
0003156135.tif 000002
【実用新案登録請求の範囲】
【請求項１】
昇降可能な座部と、該座部に対して起伏可能に形成されると共に下部背凭れと上部背凭れとからなり、かつ、下部背凭れに対して上下動および所望の高さ位置でロック可能に取付けられた背凭れと、前記座部に対して起伏可能に形成された前垂れとから構成したことを特徴とするリラクゼーション椅子。
【請求項２】
前記背凭れの起伏は、前記座部の両側面に配置された肘掛けの側面より突出して取付けられている回転摘みを回転することでガスシリンダが制御され、該ガスシリンダの伸長、収縮によって行われることを特徴とする請求項１記載のリラクゼーション椅子。
【請求項３】
前記前垂れの起伏は、前記座部の両側面に配置された肘掛けの側面より突出して取付けられた回転ハンドルを回転することでリンク機構を介して行われ、かつ、前垂れの起立時にはダンパーによって緩やかに行われることを特徴とする請求項１記載のリラクゼーション椅子。
【請求項４】
前記前垂れの側面から操作杆が突出して形成されており、該操作杆は前記回転ハンドルによって駆動するリンク機構を駆動することを特徴とする請求項３記載のリラクゼーション椅子。
【請求項５】
前記背凭れにおける上部背凭れに対して枕が回動自在に取付けられていることを特徴とする請求項１記載のリラクゼーション椅子。
【考案の詳細な説明】
【技術分野】
【０００１】
本考案は、理美容用椅子として好適な椅子であって、特に、被施術者を着座させた状態でマッサージ、フェイシャル、ネイル等の施術を行う時に、被施術者の身長に合わせて背凭れの高さを調整することが可能なリラクゼーション椅子に関する。
【背景技術】
【０００２】
従来におけるこの種のリラクゼーション椅子としては、本出願人に出願した特開２００２−２８２０７９号公報に開示された発明がある。この発明は、座部と背凭れの角度を一定となし、かつ、座部と背凭れを一体として振り子状に傾斜可能な構造となし、さらに、座部のみを前後動させることで着座している被施術者を水平状態に近い仰臥姿勢をとらせるようにしたものである。
【０００３】
そして、座部を前方に移動して被施術者を仰臥姿勢にした場合に、被施術者の腰部と背凭れの下部との間に隙間ができるので、この隙間を無くして背中全体を背凭れで支持できるように、背凭れを上下２分割し、腰部に対応する下部背凭れを座部の移動に伴って腰部側に変移するようにしたものである。
【先行技術文献】
【特許文献】
【０００４】
【特許文献１】特開２００２−２８２０７９号公報
【考案の概要】
【考案が解決しようとする課題】
【０００５】
ところで、前記したリラクゼーション椅子にあっては、背凭れが伏倒し座部が前方に移動し、かつ、伏倒状態において腰部と腰部を支持する部分の隙間を補完することで、着座する人の身長さをある程度吸収することは可能であるが、人の平均身長より大きな人とか小さな人には対応することが出来ないといった問題があった。
【０００６】
本考案は前記した問題点を解決せんとするもので、その目的とするところは、背凭れを上部と下部の２つに分割し、上部の背凭れを上下方向に伸長可能とすることで、人の標準伸長よりかなり大きな人や小さな人の背部全体と密着させてリラックス状態で着座および仰臥させることができるリラクゼーション椅子を提供せんとするにある。
【課題を解決するための手段】
【０００７】
本考案のリラクゼーション椅子は前記した目的を達成せんとするもので、請求項１の手段は、昇降可能な座部と、該座部に対して起伏可能に形成されると共に下部背凭れと上部背凭れとからなり、かつ、下部背凭れに対して上下動および所望の高さ位置でロック可能に取付けられた背凭れと、前記座部に対して起伏可能に形成された前垂れとから構成したものである。
【０００８】
請求項２の手段は、前記し請求項１において、前記背凭れの起伏は、前記座部の両側面に配置された肘掛けの側面より突出して取付けられている回転摘みを回転することでガスシリンダが制御され、該ガスシリンダの伸長、収縮によって行われることを特徴とする。
【０００９】
請求項３の手段は、前記し請求項１において、前記前垂れの起伏は、前記座部の両側面に配置された肘掛けの側面より突出して取付けられた回転ハンドルを回転することでリンク機構を介して行われ、かつ、前垂れの起立時にはダンパーによって緩やかに行われることを特徴とする。
【００１０】
請求項４の手段は、前記し請求項３において、前記前垂れの側面から操作杆が突出して形成されており、該操作杆は前記回転ハンドルによって駆動するリンク機構を駆動することを特徴とする。
【００１１】
請求項５の手段は、前記し請求項１において、前記背凭れにおける上部背凭れに対して枕が回動自在に取付けられていることを特徴とする。
【考案の効果】
【００１２】
本考案は前記したように、座部に対して背凭れと前垂れを伏倒自在に形成すると共に、前記背凭れを上部背凭れと下部背凭れとに分割し、上部背凭れを下部背凭れに対して上下動自在で、かつ、所望の高さ位置でロック可能としたことにより、人の標準伸長よりかなり大きな人や小さな人の背部全体と密着させてリラックス状態で着座および仰臥させることができる。
【００１３】
また、前記背凭れの起伏は、座部の両側面に配置されている肘掛けの側面より突出している回転摘みを回すことで伏倒され、かつ、起立はガスシリンダのガス圧で行われるので、油タンク内の油の供給や油タンクへの油の排出を利用した油圧シリンダより低価格で市場に提供することができる。
【００１４】
さらに、前垂れの起伏は、前記肘掛けの側面より突出している回転ハンドルや前垂れの下部より突出している操作杆を操作することによりリンク機構を介して行われるので、前記したと同様に高価な油圧シリンダを利用するよりも安価に提供でき、かつ、伏倒時にはダンパーによって緩やかに回動するので、安全性を保てると共に着座している人を驚かすことがない。
【００１５】
また、前記上部背凭れを上下動可能としたことで、従来のように枕を上下動させる必要がなく、上部背凭れにコストの安い単に前後方向に回動する枕を使用できる等の効果を有するものである。
【図面の簡単な説明】
【００１６】
【図１】本考案に係るリラクゼーション椅子の全体斜視図を示し、（ａ）は上部背凭れが下部背凭れに接近している状態を示し、（ｂ）は上部背凭れが下部背凭れから離れている状態を示している。
【図２】スライド杆ロック装置の断面図である。
【図３】背凭れと前垂れが起立している状態を示す断面図である。
【図４】背凭れと前垂れが伏倒している状態を示す断面図である。
【図５】同上の要部の断面図である。
【図６】図５において椅子全体が上昇している状態を示す断面図である。
【図７】前垂れ起伏装置の前垂れが垂下している状態の斜視図である。
【図８】同上において前垂れが伏倒した状態の斜視図である。
【考案を実施するための形態】
【００１７】
本考案は、座部に対して背凭れと前垂れを伏倒自在に形成すると共に、前記背凭れを上部背凭れと下部背凭れとに分割し、上部背凭れを下部背凭れに対して上下動自在で、かつ、所望の高さ位置で固定可能とした。
【実施例１】
【００１８】
以下、本考案に係るリラクゼーション椅子の一実施例を図面と共に説明する。
図１は本考案のリラクゼーション椅子の概略を示し、１は台座２に対して水平状態で昇降する座部、３は該座部１の両側に一体的に取付けられた肘掛け、４は座部１の後ろ側において起伏可能に形成され、かつ、上部背凭れ４１と下部背凭れ４２とに分割されると共に上部背凭れ４２は下部背凭れ４１に対して上下度自在および所望の高さ位置で固定可能に形成された背凭れ、５は座部１の前側において起伏可能に形成された前垂れ、６は前記上部背凭れ４２の上面に取付けられ前後方向に回動自在な枕である。なお、図１の（ａ）は上部背凭れ４２が下降した状態を示し、（ｂ）は上昇した状態を示している。なお、２２は後述する座部基板１１に取付けられているステップである。
【００１９】
次に、上部背凭れ４２を上下動自在で、かつ、所望高さ位置でロックするためのスライド杆ロック装置７を図２と共に説明する。
このスライド杆ロック装置６は前記下部背凭れ４１の背面側における左右中心部に設けられ、主体７１が前記上部背凭れ４２の下部中央部から垂下されたスライド杆４２ａを上下方向に対してスライド可能となるように取付けられている。
【００２０】
この主体７１にはポリアセタール等の耐磨耗性と摩擦抵抗の低い樹脂で形成で形成された挿通部７２が取付けられ、この挿通部７２内に前記スライド杆４２ａが挿通されている
。また、主体部７１には２枚の軸支板７３が起立状態で固定されており、他の軸支板７３の間に位置するように解除部材７４が軸７４ａで軸支されている。前記解除部材７４には切り込み部７４ｂが形成され、該切り込み部７４ｂに断面円形のロックピン７５が嵌め込まれ、該ロックピン７５の周面の一部がスライド杆４２ａに摺接するようになっている。
【００２１】
また、解除部材７４には前記ロックピン７５がスライド杆４３ａと圧接する方向にバネ付勢するスプリング７６が張設されている。そして、前記解除部材７４の操作部７４ｃが主体部７１に形成された長孔７１ａより突出し、かつ、図示していないが主体部７１を覆う下部背凭れ４１の背面側表皮よりも外部に突出している。
【００２２】
このように構成したスライド杆ロック装置７は、図示の状態において解除部材７４がスプリング７６によって反時計方向にバネ付勢されているので、ロックピン７５がスライド杆４２ａに圧接された状態となっているので、ロックピン７５とスライド杆４２ａとの摩擦抵抗によってロック状態となっている。
【００２３】
前記ロック状態において、上部背凭れ４２の上下動を行うには、下部背凭れ４１の裏面側から突出している解除部材７４をスプリング７６のバネ力に抗して押すと、解除部材７４は時計方向に回動され、ロックピン７５がスライド杆４２ａから離れるので、この状態において上部背凭れ４２を手で持って所望の高さ位置まで上下動し、所望の高さ位置に達した時に解除部材７４から手を離すことで、図２の状態に戻ってスライド杆４２ａはロックされ固定される。
【００２４】
このように、着座する人の身長に合わせて上部背凭れ４２を上下動させて固定することで、低身長者でも高身長者でも背中の全体を背凭れ４によって支持することができるので、着座している人を安楽状態にすることができる。
【００２５】
次に、前記した座部１（背凭れ４および前垂れ５）を昇降させるための前記台座２内に組み込まれている昇降装置２１について説明する。
図３〜図６において、２１ａは台座２内に収容されている油タンクおよびポンプからなる駆動源２１ｂと接続される油圧シリンダにして、シリンダ側が台座２側に軸支され、ピストン側がリンク機構２１ｃを介して座部１が取付けられる座部基板１１に接続されている。リンク機構２１ｃは公知の如く油圧シリンダ２１ａのピストンが突出すると座部基板１１を前方側に移動させながら平行状態で上昇させる公知の構造のものである。
【００２６】
そして、図３に示すように油圧シリンダ２１ａに油が供給されていない（ピストンがシリンダ内に収容されている）状態では図４、図５に示すようにリンク機構２１ｃが座部１を下降位置に停止させ、シリンダ内に油が供給されるとピストンを突出させてリンク機構２２ｃを変移させて図６に示すように座部１を前方に移動させながら平行移動させて上昇させる公知の昇降装置である。
【００２７】
次に、背凭れ４を起伏させるための背凭れ起伏装置８を図３〜図６と共に説明する。
８１は座部１における前記座部基板１１にピストン側が軸支されたガスシリンダにして、シリンダ側は下部背凭れ４１の背凭れ基板４１ａに取付けられた固定板４１ｂに軸支されている。なお、固定板４１ａは座部基板１１に対して回転自在に軸支されている。８２は座部基板１１に対して回動自在に取付けられた回転軸にして、先端は前記肘掛け３の側面より突出され図１に示す回転摘み８３が取付けられている。
【００２８】
また、回転軸８２にはアーム８２ａの一端が固定されており、該アーム８２ａの先端にはリンク８４が軸支されている。また、前記座部基板１１には回転自在にガスシリンダ８１内のガスを膨張させるための突起８１ａを操作する突起操作板８４が軸支され、該突起操作板８４の他端と前記アーム８２ａの先端とは連結リンク８５によって連結されている。
【００２９】
このように構成した背凭れ起伏装置８の動作は、図３に示す背凭れ４が起立状態において着座者が背凭れ４に寄り掛かり、肘掛け３から突出している回転摘み８３を図１において反時計方向に回転すると、回転軸８２が同じく反時計方向に回転される。この回転軸８２の回転に伴ってアーム８２ａが反時計方向に回転するので、連結リンク８５を介して突起操作板８４がガスシリンダ８１の突起８１ａを押すので、背凭れ４は着座者の寄り掛かった重さによってガスシリンダ８１のピストンを収縮方向に移動させてガスを圧縮しながら緩やかに伏倒される。
【００３０】
この伏倒された状態（図４、図５参照）において回転摘み８３から手を離すと、該回転摘み８３はガスシリンダ８１の突起８１ａの戻り力によって逆回転して元の回転位置に戻る。そして、ピストンが終端にでシリンダ内に収納された状態において背凭れ４の伏倒は停止するので、この状態において各種の施術を受けることができる。
【００３１】
前記各種の施術が終了した後に、着座者が仰臥状態から背部を起立状態に移行して背凭れ４への荷重を解除する。そして、回転摘み８３を前記したと同様に回転させると、再び、ガスシリンダ８１の突起８１ａが押されるのでシリンダ内に圧縮されていたガスが膨張してピストンを突出方向に移動させるので、背凭れ４はガス圧によって緩やかに起立状態となって図３の位置に戻される。
【００３２】
次に、前垂れ５を起伏させるための前垂れ起伏装置９を図３〜図８と共に説明する。
９１は前記した座部基板１１の裏面に一端が軸支され、他端は前垂れ５の裏面上方に固定されたＵ字状の回動リンク、９２は前記座部基板１１の裏面側から垂下された垂下片、９３は一端が前記垂下片９２の下部に回転自在に軸支された軸９２ａに取付けられた第１リンク、９４は一端が前記第１リンク９３に軸支され他端が前垂れ５の裏面下方に軸支された第２リンク、９５は前記垂下片９２に軸支された軸９２ａに取付けられ一面にギア９５ａが形成された回転板、９６は前記回転板９５の前記ギア９５ａと噛合する歯車を有するダンパー、９７は前記軸９２ａが前記肘掛け３の側面下部から突出している部分に固定された回転ハンドルである。
【００３３】
なお、前垂れ５の側面には着座している人や施術者が足先で操作する操作棒５１が突出して設けられている。また、９２ｂは前記垂下片９２に設けられたストッパーにして、前垂れ５を水平方向に回動した時に前記回転板９５の側面に当接して、前垂れ５に対して着座者の脚体の重みなどで垂下方向に回動しないようにするためのものである。
【００３４】
次に、前記した構成の前垂れ起伏装置９の動作は、図３および図７に示す前垂れ５が垂下状態である時に、回転ハンドル９７を反時計方向（図１参照）に回動し、あるいは、前垂れ５の側面から突出している操作棒５１を足先等で前垂れ５を持ち上げると、軸９２ａが反時計方向に回転して第１リンク９３を反時計方向に回動する。これにより、第１リンク９３に軸支されている第２リンク９４が前垂れ５の下端側を押し上げるので、該前垂れ５の上端側が回動リンク９１を座部基板１１の軸支点を支点として回動される。
【００３５】
この回動において、回動リンク９１によって前垂れ５の上端側が押し上げられながら回動するので、前垂れ５は上方に向かって押し上げられながら水平方向に回動されることになる。なお、前記回動初期状態にあっては、回転板９５のギア９５ａがダンパー９６の歯車９６ａに噛合されているので、前垂れ５の水平方向の回動は緩やかに行われる。また、前垂れ５が水平状態になるとギア９５ａとダンパー９６の歯車９６ａの噛合は解除された状態となる。さらに、この水平状態において回転版９５がストッパー９２ｂに当接して垂下方向へ力が作用しても前垂れ５は回動するのを防止している。
【００３６】
次に、水平状態にある前垂れを垂下方向に戻す動作について説明するに、図４、図６、図７に示す前垂れ５が水平になっている状態から垂下状態とするには、前記した回転ハンドル９７を時計方向に回動すると第１リンク９３が時計方向に回動され、第２リンク９４は第１リンク９３側に回動される。この回動途中において回転板９５のギア９５ａがダンパー９６の歯車９６ａと噛合されるので、回転ハンドル９７から手を放しても前垂れ５は、該前垂れ５の重量と着座者の脚体の重量とに関係なく緩やかに垂下方向に回動され、前垂れ５が床面に対して略直角状態で停止する。従って、着座者はステップ２２を介して椅子から下りることが可能となる。
【符号の説明】
【００３７】
１          座部
２          台座
３          肘掛け
４          背凭れ
４１        下部背凭れ
４２        上部背凭れ
５          前垂れ
６          枕
７          スライド杆ロック装置
８          背凭れ伏倒装置
９          前垂れ伏倒装置
【図１】
0003156135.tif 000003
【図２】
0003156135.tif 000004
【図３】
0003156135.tif 000005
【図４】
0003156135.tif 000006
【図５】
0003156135.tif 000007
【図６】
0003156135.tif 000008
【図７】
0003156135.tif 000009
【図８】
0003156135.tif 000010